(57)【要約】【課題】ハードディスクドライブパックの固定構造は、部品点数および組立作業工数が多くコスト高であった。【解決手段】  ハードディスクドライブパックの固定構造１１は、電子機器の筐体２に設けられたスロット１２と、ハードディスクドライブ本体部４の上下端に取り付けられた第１，第２のガイドレール５，６を備えている。第１，第２のガイドレール５，６は、中央部に直方体形状のガイド本体部１３を有し、両端部にハードディスクドライブパックへ取り付ける第１,第２の脚部１４，１５を有していて、同一形状に形成されている。ガイド本体部１３は、スロット１２の対向する側壁１２ａ，１２ｂにそれぞれ接触する第１,第２の突状部１６，１７と、第３,第４の突状部１８，１９を備えている。第１〜第４の突状部１６〜１９は、ガイド本体部１３の持つ弾性によりスロットの側壁に押し付けられている。【選択図】図１
2014093101.tif 000002
【特許請求の範囲】
【請求項１】
電子機器の筐体に対して少なくとも１台以上のハードディスクドライブパックを備えた電子機器において前記ハードディスクドライブパックを前記筐体に挿抜可能に装着、固定するためのハードディスクドライブパックの固定構造であって、
前記筐体に設けられたスロットと、前記ハードディスクドライブパックの上下方向又は左右方向の一端面および該一端面の反対側の他端面に取り付けられて前記スロット内をスライド移動して前記ハードディスクドライブパックを前記筐体の所定の位置にガイドして固定する第１,第２のガイドレールと、を備え、
前記第１,第２のガイドレールは、同一形状に形成されていて、中央部に直方体形状のガイド本体部を有し、該ガイド本体部の両端部に前記ハードディスクドライブパックへ取り付ける第１,第２の脚部を有し、
前記ガイド本体部は、前記スロットの対向する側壁の一方の側壁に対向する面に、前記一方の側壁に接触する第１,第２の突状部を備え、前記他方の側壁に対向する面に、前記他方の側壁に接触する第３,第４の突状部を備え、
前記第１，第２の突状部と第３，第４の突状部は、前記ガイド本体部の弾性によりスロットの対向する側壁に押し付けられていることを特徴とするハードディスクドライブパックの固定構造。
【請求項２】
前記第１,第２のガイドレールは、熱可塑性または熱硬化性樹脂で形成されていて、前記第１,第２の突状部を前記スロットの一方の側壁に押し付け、前記第３,第４の突状部を前記スロットの他方の側壁に押し付ける弾性は、前記ガイド本体部の四隅部に前記ハードディスクドライブパックの挿抜方向に沿って切り込みを入れることにより形成された梁状の第１〜第４のバネ部によってもたらされていることを特徴とする請求項１記載のハードディスクドライブパックの固定構造。
【請求項３】
前記第１〜第４のバネ部は、前記ハードディスクドライブパックの端面に重ね合わせる面の反対側の面に、前記スロットの上面又は下面に接触する第５〜第８の突状部を有しているとともに、前記第１〜第４のバネ部は、先端に行くに従って薄肉になるように前記ハードディスクドライブパックの端面に重ね合わせる面が傾斜面に形成されていて、前記第１〜第４のバネ部と前記スロットの上面又は下面との間には、隙間が形成されていることを特徴とする請求項２記載のハードディスクドライブパックの固定構造。
【請求項４】
前記第１,第２のガイドレールは、ゴムやエラストマーの弾性を有する素材により形成されていて、前記第１〜第４の突状部を前記スロットの側面に押し付ける弾性は、前記素材の持つ弾性により付与されているとともに、前記第１，第２のガイドレールのガイド本体部の、前記スロットの上，下面と対向する面には、これら上面または下面に押し付ける第５,第６の突状部を一体に形成したことを特徴とする請求項１に記載のハードディスクドライブパックの固定構造。
【請求項５】
前記第１,第２のガイドレールの第１,第２の脚部に背の高さの異なる第１又は第２の凸部を設け、前記第１,第２のガイドレールのうちの一方のガイドレールは、背の高い第１の凸部を前記スロットへの挿入方向に先端側に位置するようにして前記ハードディスクドライブパックの一端面側に取り付けるとともに、前記スロットには、前記背の高い第１の凸部と干渉して前記筐体へのハードディスクドライブパックの誤挿入を防止するストッパーを設けたことを特徴とする請求項１〜４の何れかに記載のハードディスクドライブパックの固定構造。
【発明の詳細な説明】
【技術分野】
【０００１】
本発明は、電子機器の筐体に対して複数のハードディスクドライブパックを挿抜可能に装着、固定するハードディスクドライブパックの固定構造に関するものである。
【背景技術】
【０００２】
情報記憶装置として筐体内に複数台のハードディスクドライブパック（ハードディスクドライブに筐体へ固定するためのガイドレール等を取り付けたもの）を搭載したもの、例えばハードディスクアレイ装置が知られている。
【０００３】
このハードディスクアレイ装置は、複数台のハードディスクドライブパックを搭載しているために、そのぶん故障が発生し易くなり、故障が発生した場合には、ハードディスクドライブパックを修理したり交換したりする必要がある。
【０００４】
故障したハードディスクドライブパックを交換等するためにはハードディスクドライブパックをハードディスクアレイ装置の筐体から容易に着脱できる構造にする必要がある。このためハードディスクアレイ装置とハードディスクドライブパックの間には、ある程度の隙間、すなわちクリアランスが必要となる。そして、故障したハードディスクドライブパックの交換を容易にするためにハードディスクアレイ装置の筐体の前面側からハードディスクドライブパックを抜き差しできるようになっている。
【０００５】
ハードディスク等の記録媒体は、外部からの振動により磁気ヘッドが、回転するディスクを傷つけるなど、振動に起因する性能劣化が発生し易い。特に、動作中のハードディスクドライブは振動に弱く、振動を抑制することが重要である。なお、ここでいう振動は、主にハードディスクドライブ自体が作動（ディスクが回転したり磁気ヘッドが移動）することによって起きる自励振動や、他の機器、例えば冷却用のファンユニット等から発生する振動、あるいは、故障したハードディスクドライブパックを機器の稼働中に、交換のために筐体から抜き差しする際に発生する振動等のことである。
【０００６】
ハードディスクアレイ装置は、該装置の筐体の上下または左右にそれぞれハードディスクドライブパックの台数分のスロットを備えている。一方、ハードディスクドライブパックには前記スロットに挿入されてハードディスクドライブパックを所定の位置に案内するガイドレールを備えている。
【０００７】
また、ハードディスクドライブパックは、挿抜方向の先端側にハードディスクドライブパック側のコネクターを備え、ハードディスクアレイ装置の筐体は、奥端側に筐体側のコネクターを備えている。そして、ハードディスクドライブパックを筐体内に挿入すると、ハードディスクドライブパック側のコネクターが筐体側のコネクターに接続される構成になっている。このため、ハードディスクドライブパックが誤った向き、例えば上下方向を逆にして筐体内に挿入されると、コネクターが破損してしまう恐れがある。上記誤挿入を防止するためには誤挿入防止構造が必要とされる。
【０００８】
筐体に着脱可能に装着されるディスクドライブ装置（本発明におけるハードディスクドライブパックに相当）を有するハードディスクアレイ装置等の電子機器において、ディスクドライブ装置の着脱方向と直交する２方向（左右方向および上下方向）の固定を確実に行なうことを課題として、筐体側に設けられるスロットと、ディスクドライブ装置側に設けられて前記スロットに挿入されてディスクドライブ装置を所定の位置に案内するガイドレールと、を有するディスクドライブ装置の固定構造として、特許文献１が知られている。
【０００９】
特許文献１には、図２３に示すように、ハードディスクアレイ装置等の電子機器の筐体（図示省略）に設けられたスロット１０１と、ディスクドライブ装置（図示省略）に設けられていて該ディスクドライブ装置を前記電子機器の筐体に対して挿抜可能に装着、固定するガイドレール１０２と、からなるディスクドライブ装置の固定構造が開示されている。
【００１０】
スロット１０１にガイドレール１０２を挿入して、電子機器の筐体の所定の位置まで挿入すると、ガイドレール１０２の一側部に設けた突起１０３がスロット１０１側に設けた固定板１０４に当接して梁部１０８（図２４参照）が歪み、その応力によってガイドレール１０２がスロット１０１に押し付けられてディスクドライブ装置の左右方向の固定が行なわれるとともに、ガイドレール１０２の他側部に設けた隆起部１０５がスロット１０１側に設けたテーパ溝１０６に嵌合し、ガイドレール１０２がスロット１０１に押し付けられてディスクドライブ装置の上下方向の固定が行なわれる。
【先行技術文献】
【特許文献】
【００１１】
【特許文献１】特開２００６−３０２３５３
【発明の概要】
【発明が解決しようとする課題】
【００１２】
ところで、前記特許文献１のディスクドライブ装置の固定構造には、次に述べるような課題があった。
（１）特許文献１には、ディスクドライブ装置の挿抜方向と直交する２方向、すなわち左右方向および上下方向の固定を行なう固定手段が構成されているが、振動を抑制する手段としては、左右方向にしか構成されていないことである。詳しくは、図２４，図２５に示すように、ガイドレール１０２には、抜き穴１０７の部分において梁部１０８の内側に、弾性補助部材としての金属製の板バネ１０９が組み込まれ、モールド成形された梁部１０８及び板バネ１０９が挿入方向に対して横方向へ歪む状態となる。そして、その歪みの応力で横方向の力を発生させて、ガイドレール１０２の突起１０３をスロット１０１の固定板１０４に押し付けることにより、ディスクドライブ装置の左右方向の固定を行なっている。そして、前記弾性補助部材としての金属製の板バネ１０９が左右方向の振動を抑制する手段として機能するものと考えられる（特許文献１の段落［００２２］、図２、図６〜７参照）。
しかし、上下方向については、固定のみで、上下方向に加わる振動に対しては、振動が抑制されていないので、該振動が性能劣化の原因となる可能性がある。
（２）電子機器の筐体側のスロット１０１と、ディスクドライブ装置側のガイドレール１０２の両者が、多数の部品で構成され、複雑な構造を有するため、組立作業工数が多くなり、スロットおよびガイドレールの両者の製造コストが高価になることが考えられる。
【００１３】
本発明は、上記従来の課題を解決し、部品点数および組立作業工数を最小限に抑え、安価に製造することができ、且つ防振機能を備えたハードディスクドライブパックの固定構造を提供することを主たる目的に成されたものである。
【００１４】
また、本発明は、上記防振機能とともに、誤挿入（誤装着）防止機能も兼ね備えたディスクドライブ装置の固定構造（以下、本発明においてはハードディスクドライブパックの固定構造と称する）を提供することを従たる目的に成されたものである。
【課題を解決するための手段】
【００１５】
請求項１の発明は、電子機器の筐体に対して少なくとも１台以上のハードディスクドライブパックを備えた電子機器において前記ハードディスクドライブパックを前記筐体に挿抜可能に装着、固定するためのハードディスクドライブパックの固定構造であって、
前記筐体に設けられたスロットと、前記ハードディスクドライブパックの上下方向又は左右方向の一端面および該一端面の反対側の他端面に取り付けられて前記スロット内をスライド移動して前記ハードディスクドライブパックを前記筐体の所定の位置にガイドして固定する第１,第２のガイドレールと、を備え、
前記第１,第２のガイドレールは、同一形状に形成されていて、中央部に直方体形状のガイド本体部を有し、該ガイド本体部の両端部に前記ハードディスクドライブパックへ取り付ける第１,第２の脚部を有し、前記ガイド本体部は、前記スロットの対向する側壁の一方の側壁に対向する面に、前記一方の側壁に接触する第１,第２の突状部を備え、前記他方の側壁に対向する面に、前記他方の側壁に接触する第３,第４の突状部を備え、前記第１，第２の突状部と第３，第４の突状部は、前記ガイド本体部の弾性によりスロットの対向する側壁に押し付けられていることを特徴とする。
【００１６】
請求項２は、請求項１に記載のハードディスクドライブパックの固定構造において、前記第１,第２のガイドレールは、熱可塑性または熱硬化性樹脂で形成されていて、前記第１,第２の突状部を前記スロットの一方の側壁に押し付け、前記第３,第４の突状部を前記スロットの他方の側壁に押し付けるための弾性は、前記ガイド本体部の四隅部に前記ハードディスクドライブパックの挿抜方向に沿って切り込みを入れることにより形成された梁状の第１〜第４のバネ部によってもたらされていることを特徴とする。
【００１７】
請求項３は、請求項２に記載のハードディスクドライブパックの固定構造において、前記第１〜第４のバネ部の、前記ハードディスクドライブパックの端面に重ね合わせる面の反対側の面に、前記スロットの上面又は下面に接触する第５〜第８の突状部を形成するとともに、前記第１〜第４のバネ部を、先端に行くに従って薄肉になるように前記ハードディスクドライブパックの端面に重ね合わせる面を傾斜面に形成し、前記第１〜第４のバネ部と前記スロットの上面又は下面との間に、隙間を形成したことを特徴とする。
【００１８】
請求項４は、請求項１に記載のハードディスクドライブパックの固定構造において、前記第１,第２のガイドレールは、ゴムやエラストマーの弾性を有する素材により形成されていて、前記第１〜第４の突状部を前記スロットの側壁に押し付ける弾性は、前記素材の持つ弾性により付与されているとともに、前記第１，第２のガイドレールのガイド本体部の前記スロットの上，下面と対向する面には、これら上，下面の押し付ける第５,第６の突状部を一体に形成したことを特徴とする。
【００１９】
請求項５は、請求項１〜４の何れかに記載のハードディスクドライブパックの固定構造において、前記第１,第２のガイドレールの第１又は第２の脚部に背の高さの異なる第１，第２の凸部を設け、前記第１,第２のガイドレールのうちの一方のガイドレールは、背の高い第１の凸部を前記スロットへの挿入方向の先端側に位置するようにして前記ハードディスクドライブパックの一端面側に取り付けるとともに、前記スロットには、前記背の高い第１の凸部と干渉して前記筐体へのハードディスクドライブパックの誤挿入を防止するストッパーを設けたことを特徴とする。
【発明の効果】
【００２０】
（１）請求項１のハードディスクドライブパックの固定構造は、ガイドレールを樹脂により一体成形したので、部品点数および組立作業工数の削減を図ることができる。ハードディスクドライブパックの一端面に取り付ける第１のガイドレールと、ハードディスクドライブパックの他端面に取り付ける第２のガイドレールを同一形状に形成したので、第１のガイドレールと第２のガイドレールを別々に成形する必要が無く、一種類のガイドレールを第１のガイドレールと第２のガイドレールに使い分けることができる。
（２）請求項２のハードディスクドライブパックの固定構造は、第１〜第４の突状部をスロットの対向する側壁に押し付けるバネ材を、ガイド本体部の四隅部にハードディスクドライブパックの挿抜方向に沿って切り込みを入れて、梁状の第１〜第４のバネ部を設けることにより形成し、ガイド本体部と一体に形成したので、バネ材として別部材を使用する場合に較べて部品点数の削減と組立工数の削減を図ることができる。また、梁状の第１〜第４のバネ部の肉厚を変えることによって、第１〜第４のバネ部のバネ力を変えて、最適な力で、第１〜第４の突状部をスロットに押し付けることが出来る。
（３）請求項３のハードディスクドライブパックの固定構造は、前記ガイドレールに設けた第１,第２の突状部と第３,第４の突状部がそれぞれスロットの対向する側壁に押し付けられて、ハードディスクドライブパックは、挿抜方向に固定されるとともに、挿抜方向の振動が抑制される。また、前記ガイドレールに設けた第５〜第８の突状部がスロットの対向する上，下面に押し付けられて、ハードディスクドライブパックは、挿抜方向に固定されるとともに、挿抜方向と直交する方向の振動が抑制される。
（４）請求項４のハードディスクドライブパックの固定構造は、前記ガイドレールを、ゴムやエラストマーの弾性を有する素材で形成したので、ガイドレールの本体部に切り込みを入れて梁状のバネ部を形成しなくても、素材の持つ弾性によって、第１〜第４の突状部をスロットの対向する側壁に押し付けることができる。また、第５，第６の突状部をスロットの上面または下面に押し付けることができる。
（５）請求項５のハードディスクドライブパックの固定構造は、前記第１,第２のガイドレールの第１,第２の脚部に背の高さの異なる第１又は第２の凸部を設けるとともに、前記スロットには、前記背の高い第１の凸部と干渉して前記筐体へのハードディスクドライブパックの誤挿入を防止するストッパーを設けたので、第１, 第２のガイドレールのうちの少なくとも何れか一方のガイドレールを、前記背の高い第１の凸部がハードディスクドライブパックの挿入方向の先端側に位置するようにハードディスクドライブパックに取り付けて使用することにより、ハードディスクドライブパック挿入時に、前記背の高い第１の凸部が前記スロットに設けたストッパーに当接して、ハードディスクドライブパックの誤装着を未然に防止する。
【図面の簡単な説明】
【００２１】
【図１】第１実施例のハードディスクドライブパックの固定構造を示す斜視図。
【図２】第１実施例のハードディスクドライブパックの斜視図。
【図３】第１実施例のガイドレールの斜視図。
【図４】第１実施例のガイドレールの正面図。
【図５】ハードディスクドライブパックをスロットに挿入する前の状態を示す説明図。
【図６】ハードディスクドライブパックをスロットに挿入した後の状態を示す説明図。
【図７】第２実施例のガイドレールの斜視図。
【図８】第２実施例のガイドレールの正面図。
【図９】第２実施例のガイドレールの側面図。
【図１０】第３実施例のハードディスクドライブパックの斜視図。
【図１１】第３実施例のガイドレールの正面図。
【図１２】第３実施例のガイドレールの変形例の正面図。
【図１３】誤挿入防止用の凸部を設けたハードディスクドライブパックの分解斜視図。
【図１４】ストッパーを設けた筐体の斜視図。
【図１５】ハードディスクドライブパックが正規に挿入された状態を示す説明図。
【図１６】ハードディスクドライブパックが誤挿入された状態を示す説明図。
【図１７】ストッパーをスロットの前端側に設けた場合を示す斜視図。
【図１８】ストッパーをスロットの前端側に設けた場合の問題点を示す説明図。
【図１９】ストッパー導入溝を設けたガイドレールの斜視図。
【図２０】ストッパー導入溝を設けたガイドレールを筐体に挿入した状態の斜視図。
【図２１】ガイドレールを筐体に正規に挿入した状態の斜視図。
【図２２】ガイドレールを筐体に誤挿入に挿入した状態の斜視図。
【図２３】従来例の断面図。
【図２４】従来例のガイドレールの斜視図。
【図２５】（Ａ），（Ｂ）は従来例の主要部の構成を示す平面図。
【発明を実施するための形態】
【００２２】
次に、本発明のハードディスクドライブパックの固定構造の実施例を説明する。
図１〜図６は第１実施例を示す。
【００２３】
図１は、本発明のハードディスクドライブパックの固定構造を使用したハードディスクアレイ装置等の電子機器１を示す。
【００２４】
電子機器１は、電子機器本体部としての筐体２と、筐体２内に装着される複数台のハードディスクドライブパック３と、を備えている。
【００２５】
図２に示すように、ハードディスクドライブパック３は、ハードディスクドライブ本体部４と、該ハードディスクドライブ本体部４の上，下の端面に取り付けられたガイドレール５，６を備えている。（以下、ハードディスクドライブ本体部４の上端面に取り付けられたガイドレールを第１のガイドレール５と称し、ハードディスクドライブ本体部４の下端面に取り付けられたガイドレールを第２のガイドレール６と称する）。
【００２６】
図１に示すように、筐体２は、上,下面２ａ，２ｂと、上,下面２ａ，２ｂの一端部を連結している端面２ｃにより側面視略コ字状に形成されたベイ金具で形成されている。そして、端面２ｃと対向する部分に位置する開口部７から複数台のハードディスクドライブパック３を筐体２内に挿入する。
【００２７】
筐体２の端面板２ｃには、マザーボード８とコネクター９が設けられていて、筐体２内にハードディスクドライブパック３を挿入すると、ハードディスクドライブパック３の挿入方向の先端側に設けたコネクター（図示省略）が前記マザーボード８のコネクター９に接続される。
【００２８】
筐体２へのハードディスクドライブパック３の挿入や固定は、ハードディスクドライブパックの固定構造１１により行なわれる。ハードディスクドライブパックの固定構造１１は、筐体２に設けられたスロット１２と、ハードディスクドライブ本体部４の上下の端部に取り付けられた第１，第２のガイドレール５，６と、で構成されている。そして、第１のガイドレール５を筐体２の上面２ａ側のスロット１２に挿入し、第２のガイドレール６を筐体２の下面２ｂ側のスロット１２に挿入してスライドさせることにより、スロット１２に沿ってハードディスクドライブパック３の挿抜をガイドする。
【００２９】
スロット１２は、筐体２の上,下面２ａ，２ｂの対向位置に複数形成されている。スロット１２は、金属板を所定の形状に打ち抜き、略コ字状に折り曲げ加工することにより形成されたベイ金具に設けられている。具体的には、筐体２の上,下面２ａ，２ｂの一部を筐体２の内部側に切り起こして左右の側壁１２ａ，１２ｂを設けることにより形成されている。
【００３０】
筐体２の上面２ａ側に設けた一対の側壁１２ａ，１２ｂの間には、第１のガイドレール５が挿入され、筐体２の下面２ｂ側に設けられた一対の側壁１２ａ，１２ｂの間には、第２のガイドレール６が挿入される。
【００３１】
第１のガイドレール５と第２のガイドレール６は、熱可塑性または熱硬化性樹脂により同一形状に形成されている。
【００３２】
図３,図４に示すように、第１,第２のガイドレール５，６は、中央部に直方体形状のガイド本体部１３を有し、該ガイド本体部１３の長さ方向の両端部には、ハードディスクドライブ本体部１３へ取り付けるための第１,第２の脚部１４，１５を有している。ガイド本体部１３の肉厚Ｔ１に対して、第１,第２の脚部１４，１５の肉厚Ｔ２は、薄肉に形成されている。
【００３３】
図３において、Ｚはハードディスクドライブパック３の挿抜方向を示し、ＸはＺと垂直で且つハードディスクの記録面と平行の方向を示し、ＹはＺと垂直で且つハードディスクの回転軸と平行の方向を示す。
【００３４】
ガイド本体部１３の、前記Ｚ方向と平行の一方の側面１３ａと他方の側面１３ｂの両端部には第１〜第４の突状部１６〜１９が設けられている。第１〜第４の突状部１６〜１９は、第１〜第４のバネ部２０〜２３によりスロット１２の側壁１２ａ，１２ｂに押し付けられる。
【００３５】
第１〜第４のバネ部２０〜２３は、ガイド本体部１３の四隅部に前記側面１３ａおよび側面１３ｂに沿って切り込み２４〜２７を入れて弾性を有する梁部を設けることにより形成されている。
【００３６】
第１,第２の脚部１４，１５にはネジ受穴２８が設けられている。そして、図１,図２に示すように、第１のガイドレール５は、第１の脚部１４を挿入方向の先端側に向けた状態でネジ２９によりハードディスク本体部４の上端面に取り付けられる。また、第２のガイドレール６は、ネジ２９によりハードディスクドライブ本体部４の下端面に取り付けられる。
【００３７】
図３，図４に示すように、第１の脚部１４と第２の脚部１５には高さの異なる第１の凸部４１又は第２の凸部４２が設けられている。これら第１,第２の凸部４１，４２は、後述の第５実施例において詳しく説明する誤挿入防止機構を構成する。
【００３８】
複数台のハードディスクドライブパック３を搭載したハードディスクアレイ装置等においては、何れかのハードディスクドライブパック３が故障した場合には、故障したハードディスクドライブパック３を筐体２から取り外して修理し、或いは新しいハードディスクドライブパック３と交換する必要がある。このためには、ハードディスクドライブパック３の挿抜や固定を円滑に行なう必要がある。
【００３９】
図５,図６は、ハードディスクドライブパック３の挿抜や固定等を円滑、確実に行なうためのスロット１２とハードディスクドライブパック３の寸法関係を示す説明図である。
【００４０】
図５,図６に示すように、ハードディスクドライブパック３のガイドレール５，６を除いた部分の最大幅をハードディスクドライブパック３の幅ｈとし、スロット１２を構成する側壁１２ａ，１２ｂの間隔の距離をＤとし、この間隔の距離Ｄからハードディスクドライブパック３の幅ｈを減算して１／２とした値をスロット１２の側壁１２ａ，１２ｂとハードディスクドライブパック３との片側のクリアランスｃｌとする。すなわち、２×ｃｌ＝Ｄ−ｈとする。
【００４１】
ハードディスクドライブパック３の最大幅、すなわち、前記第１,第３の凸状部１６，１８の間または第２,第４の凸状部１７，１９の間の距離をＨとする。そして、前記第１,第３の凸状部１６，１８の間または第２,第４の凸状部１７，１９の間の距離Ｈを除いたガイドレール５，６の幅（例えばガイドレール５，６の長手方向の中央部の幅）をＢとすると次の関係になる。
【００４２】
（２×ｃｌ）≦Ｂ＜Ｈ
ｈ＋２ｃｌ＝Ｄ
Ｄ＜Ｈ
従って、第１,第３の凸状部１６，１８の間または第２,第４の凸状部１７，１９の間の距離Ｈを、スロット１２の側壁１２ａ，１２ｂの間隔Ｄよりも大きくとることで、図６に示すように、ガイドレール５，６を取り付けたハードディスクドライブパック３をスロット１２に挿入した場合に、ガイドレール５，６の第１〜第４の切り込み２４〜２７により形成された梁状の第１〜第４のバネ部２０〜２３が撓んで変形し、第１〜第４の凸状部１６〜１９をスロット１２の側壁１２ａ，１２ｂに押し付けてハードディスクドライブパック３をスロット１２に固定する。
【００４３】
第１実施例のハードディスクドライブパックの固定構造は、上述のような構成であるから次に述べるような効果がある。
（１）第１〜第４のバネ部２０〜２３によって、第１〜第４の突状部１６〜１９をスロット１２の側壁１２ａｂ，１２ｂに押し付けてハードディスクドライブパックをスロットに固定するとともに、第１〜第４のバネ部２０〜２３によって振動を吸収、抑制する。
（２）例えば、ハードディスクアレイ装置とハードディスクドライブパックとの間には、ある程度の隙間、すなわちクリアランスが設けられることになり、ガイドレールは、このクリアランス部分の寸法も考慮するため、スロット側もガイドレール側もある程度の精度を要求される。第１実施例の発明は、ガイドレールに形成した切り込みによって形成された第１〜第４のバネ部２０〜２３の変形によってスロット側の左右方向の公差を吸収できるので、スロットの高精度の加工が不要となり、製造単価を低減できる。
（３）ハードディスクドライブの上,下端面または左,右端面に取り付ける第１,第２のガイドレール５，６に同一形状のガイドレールを使用したので、その分、部品点数（使用する部品の種類）を削減してガイドレールの単価を低減できる。
（４）第１,第２のガイドレール５，６を同一形状にしたので、一種類の成形金型で第１,第２のガイドレール５，６を成形することができ、成形金型のイニシャルコストを低減でき、ガイドレールの単価を低減できる。
（５）ガイドレールを成形するための成形金型以外に特殊な金型を製作する必要が無いため、大量生産のみならず、少量生産の場合にも低コストを実現できる。
（６）部品点数が少なくシンプルな構成のため、組立が容易で、組立時間の低減を図ることができる。
【００４４】
図７〜図９は、本発明のハードディスクドライブパックの固定構造の第２実施例を示す。第２実施例と第１実施例の相違点は、第２実施例のガイドレールに、前記Ｙ方向の振動を吸収、抑制する作用と、Ｘ方向の振動を吸収、抑制する作用を持たせたものである。
【００４５】
第２実施例では、第１実施例のガイドレールを基に、図７,図８に示すように、第１〜第４のバネ部２０〜２３のＸ方向の両面である第１〜第４のバネ部２０〜２３のハードディスクドライブ本体部４への重ね合わせ面１３ｃと反対側の面１３ｄ（スロット１２の上，下面と対向する面、即ち、筐体２の上，下面２ａ，２ｂと対向する面）に、第５〜第８の突状部３０〜３３を設けた。また、図９に示したように、第１〜第４のバネ部２０〜２３の前記第５〜第８の突状部３０〜３３を設けた面１３ｄと反対側の面１３ｃの一部を先端に行くに従って薄肉になる傾斜面１３ｅに形成して、第１〜第４のバネ部２０〜２３をスロット１２の上，下面と離間させて両者間に隙間を形成することにより、両者間の振動の伝達を抑制すると共に、第１〜第４のバネ部２０〜２３を撓み易くし、振動を吸収し易いように構成している。その他の構成は、第１実施例と同じであるので、同一構成部分には同一符号を付して重複する説明を省略する。
【００４６】
第２実施例は、上記のような構成であって、ハードディスクドライブ本体部４の上,下端面に第１ガイドレール５と第２ガイドレール６を取り付けて、ハードディスクドライブパック３をスロット１２に挿入すると、第１〜第４の突状部１６〜１９がスロット１２の側壁１２ａｂ，１２ｂに押し付けられてハードディスクドライブパックをスロットに固定すると共に、前記第１ガイドレール５に設けた第５〜第８の突状部３０〜３３は、スロット上部の筐体２の上面に押し付けられ、前記第２ガイドレール６に設けた第５〜第８の突状部３０〜３３は、スロット下部の筐体２の下面に押し付けられて、ハードディスクドライブパックをスロットに固定する。
【００４７】
第２実施例のハードディスクドライブパックの固定構造は、第１実施例のハードディスクドライブパックの固定構造のスロット１２の左右の公差を吸収できるという効果に加えて、更に、上下の公差を吸収できるという効果が有るので、スロット１２の上下方向の高精度の加工が不要となり製造単価を低減できる。
【００４８】
図１０〜図１２は、本発明のハードディスクドライブパックの固定構造の第３実施例を示す。第３実施例において、第１,第２のガイドレール５，６は、ゴムやエラストマーの弾性を有する素材により形成されている。
【００４９】
第１,第２のガイドレール５，６は、中央部に直方体形状のガイド本体部１３を有し、該ガイド本体部１３の長さ方向の両端部には、ハードディスクドライブ本体部１３へ取り付けるための第１,第２の脚部１４，１５を有している。
【００５０】
図１０，図１１に示すように、ガイド本体部１３の側面１３ａ，１３ｂの両端部に、前記スロット１２の側壁１２ａ，１２ｂに接触する第１〜第４の突状部１６〜１９が一体に突出成形されている。これら第１〜第４の突状部１６〜１９は、ゴムやエラストマー等の弾性を有する素材の持つ弾性によってスロット１２の側壁１２ａ，１２ｂに押し付けられている。
【００５１】
また、前記第１，第２のガイドレール５，６のガイド本体部１３のハードディスクドライブパック３に重ね合わせる面１３ｃと反対側の面１３ｄ（スロット１２の上面又は下面と対向する面）の長さ方向の中心線ＣＬ上の両端部には、スロット１２の上面または下面と接触する第５,第６の突状部３０，３１が一体に突出成形されている。これら第５,第６の突状部３０，３１も素材の持つ弾性によってスロット１２の上面または下面に押し付けられる。
【００５２】
図１０，図１１に示す実施例においては、第１〜第４の突状部１６〜１９および第５,第６の突状部３０，３１を略矩形状に形成した場合を示したが、これ以外の形状、例えば半球状や円柱状或いはこれらを組み合わせた形状であっても良い。また、図１０，図１１に示す実施例においては、ガイド本体部１３の、スロット１２の側壁１２ａ、１２ｂに対向する側面１３ａ，１３ｂに夫々各２個の突状部を設けるとともに、ガイド本体部１３のスロット１２の上、下面に対向する面１３ｄに２個の突状部を設けた場合を示したが、突状部の個数は問わない。
【００５３】
第３実施例のハードディスクドライブパックの固定構造は、上記のような構成であって、ハードディスクドライブ本体部４の上,下端面に第１，第２のガイドレール５，６を取り付けて、ハードディスクドライブパック３を、図１に示す電子機器１の筐体２のスロット１２に挿入すると、第１，第２の突状部１６，１７と、第３，第４の突状部１９，１９がそれぞれスロット１２の側壁１２ａｂ，１２ｂに押し付けられるとともに、第１のガイドレール５の第５,第６の突状部３０，３１は、スロット１２の上面１２ｃに押し付けられ、第２のガイドレール６の第５,第６の突状部３０，３１は、スロット１２の下面１２ｃに押し付けられて、ハードディスクドライブパックをスロットに固定する。そして、第１〜第４の突状部１６〜１９や第５,第６の突状部３０，３１およびガイド本体部１５の有する弾性によって、振動の吸収を吸収、抑制する。
【００５４】
前記振動の吸収と抑制作用は、図１１に示すように、ハードディスクドライブパックの挿抜方向Ｚに対して垂直（直角）な上下方向と左右方向（図１１のＹ方向とＸ方向）の２方向においてハードディスクドライブパックを固定する作用と振動の吸収、抑制作用を有する。なお、図１１に示すように、ガイドレール５，６の第１，第３の凸状部１６，１８間または第２，第４の凸状部１７，１９の距離Ｈを、スロット１２の側壁１２ａ，１２ｂの間隔Ｄ（図５参照）よりも大きくする（Ｄ＜Ｈ）ことで、ハードディスクドライブパック３のガイドレール５，６をスロット１２に挿入した時に、第１〜第４の突状部１６〜１９をスロット１２の側壁１２ａ，１２ｂに押し付けてハードディスクドライブパック３をスロットに固定する。
【００５５】
図１２は、第３実施例の変形例を示す。この変形例は、第１〜第４の突状部１６〜１９および第５,第６の突状部３０，３１をゴムやエラストマーよりも摩擦の少ないプラスチックで形成したものを示す。
【００５６】
第１〜第４の突状部１６〜１９および第５,第６の突状部３０，３１をゴムやエラストマーで形成すると、スロット１２との接触面の摩擦が大きくなり、ハードディスクドライブパックを円滑に挿抜できない。変形例はスロット１２との接触面の摩擦抵抗を小さくしてより円滑にハードディスクドライブパックをスムースに挿抜できるようにしたものである。
【００５７】
第１〜第４の突状部１６〜１９および第５,第６の突状部３０，３１は、ゴムやエラストマーよりも摩擦の少ないプラスチックで形成されていて、ベースプレート３４上に立設されている。
【００５８】
一方、ガイド本体部１３には、上記ベースプレート３４を嵌着する凹部３５が形成されていて、該凹部３５に上記ベースプレート３２が嵌め付けられる構成になっている。
【００５９】
ゴムやエラストマーよりも摩擦の少ないプラスチックで形成するのは、第１〜第４の突状部１６〜１９や第５,第６の突状部３０，３１のみでもよいが、上記のように、第１〜第４の突状部１１６〜１９および第５,第６の突状部３０，３１をベースプレート３４上に立設し、ベースプレート３４をガイド本体部１３に設けた凹部３５内に取り付けることにより、第１〜第４の突状部１６〜１９および第５,第６の突状部３０，３１とガイド本体部１３を強固に結合することができる。
【００６０】
第３実施例のハードディスクドライブパックの固定構造は、上記のような構成であって、第１〜第４の突状部１６〜１９および第５,第６の突状部３０，３１をゴムやエラストマー等の弾性を備えた素材で形成したので、第１，第２実施例のように、ガイド本体部１３の四隅部に切り込み２４〜２７を入れて弾性を有する梁状のバネ部を形成する必要が無くなり、ガイドレール５，６の成形作業をより簡単、容易に行なうことが可能になる。
【００６１】
図１３〜図１６は、筐体２へのハードディスクドライブパック３の誤挿入（誤装着）を防止する誤挿入防止構造の一例を示す。
【００６２】
図１３に示すように、ハードディスクドライブ本体部４の上，下端面にはネジ２９により第１,第２ガイドレール５，６が取り付けられる。第１,第２ガイドレール５，６は、熱可塑性または熱硬化性樹脂により同一形状に形成されている。
【００６３】
第１,第２のガイドレール５，６は、中央部に直方体形状のガイド本体部１３を有し、該ガイド本体部１３の長さ方向の両端部には、ハードディスクドライブ本体部４へ取り付けるための第１,第２の脚部１４，１５を有している。ガイド本体部１３の肉厚Ｔ１に対して、第１,第２の脚部１４，１５の肉厚Ｔ２は、薄肉に形成されている。
【００６４】
第１の脚部１４は、ネジ受穴２８と第１の凸部４１を備え、第２の脚部１５は、ネジ受穴２８と第２の凸部（誤挿入防止用の凸部）４２を備えている。第１の凸部４１は、第２の凸部４２よりも背が低く形成されている。
【００６５】
前記第１のガイドレール５は、第１の凸部４１をスロットへの挿入方向の先端側に向けた状態でハードディスクドライブ本体部４に取り付けられ、第２のガイドレール６は、第１のガイドレール５と前後を逆にして、第２の凸部４２をスロットへの挿入方向の先端側に向けた状態でハードディスクドライブ本体部４に取り付けられている。
【００６６】
第１の凸部４１は、誤挿入防止機能には関与しないが、フロントカバー４３をハードディスクドライブ本体部４の前面側に取り付ける際に位置決め部材として機能する。
【００６７】
フロントカバー４３は、ハードディスクドライブパック３を挿抜する際の手掛けとして使用される。フロントカバー４３は、前面側の中央部に手掛け部４４を備え、背面側の両側部にハードディスクドライブパック３へ組み付けるための第１,第２のアーム部４５，４６を備えている。第１,第２のアーム部４５，４６は、ネジ孔４７と凸部挿入孔４８を備えている。
【００６８】
第１のアーム部４５は、第１のガイドレール５をハードディスクドライブ本体部４の上端部に取り付ける際に、前記凸部挿入孔４８に第２の凸部４２を嵌合することにより、第１のガイドレール５に対して位置決めされた状態で、ネジ２９により第１のガイドレール５と共締めされてハードディスクドライブ本体部４の上端部に取り付けられる。また、第２のアーム部４６は、凸部挿入孔４８に第２の凸部４１を嵌合することにより、第２のガイドレール６に対して位置決めされた状態で、ネジ２９により第２のガイドレール６と共締めされてハードディスクドライブ本体部４の下端部に取り付けられる。
【００６９】
図１４に示すように、電子機器の筐体２の上面側にはストッパー４９が設けられている。ストッパー４９は、筐体２内に突出して、ハードディスクドライブパック挿入時に、背の低い第１の凸部４１とは干渉せずに背の高い第２の凸部４２と干渉して、更なるハードディスクドライブパックの挿入を阻止する。
次に、上記誤挿入防止構造の作用について説明する。
図１５に示すように、ハードディスクドライブパック３を正規の姿勢、即ち第１のガイドレール５の第１の脚部１４に設けた背の低い第１の凸部４１を先端側にして、筐体２内にハードディスクドライブパック３を挿入すると、第１の凸部４１とストッパー４９は干渉せず、従ってハードディスクドライブパック３は正規の位置に挿入、装填される。
【００７０】
しかし、図１６に示すように、ハードディスクドライブパック３を上下逆にして第２の脚部１５に設けた背の高い第２の凸部４２を先端側にして、筐体２内に挿入すると、第１の脚部１４に設けた背の高い第２の凸部４２がストッパー４９と干渉して、ハードディスクドライブパック３の更なる挿入を阻止してハードディスクドライブパック３の誤挿入（誤装填）を防止する。
【００７１】
上記誤挿入防止構造は、第１〜第３実施例のハードディスクドライブパックの固定構造に搭載されていて、ハードディスクドライブパックの誤挿入を防止している。
【００７２】
上記誤挿入防止構造は、第１〜第３実施例のハードディスクドライブパックの固定構造と組み合わせて使用される。
【００７３】
なお、上記誤挿入防止構造においては、ストッパー４９は、図１４に示すように、筐体２の奥端側に設けられているため、ハードディスクドライブパック３を筐体２の奥端側まで挿入してからでないと誤挿入であるか否かが判別しない。
【００７４】
そこで、図１７に示すように、ストッパー４９を筐体２の前端側に設けることが考えられるが、ストッパー４９を筐体２の前端側に設けただけでは、図１８に示すように、背の低い第１の凸部４１とストッパー４９の干渉を回避することは出来ても、第１の凸部４１にガイド本体部１３の長さ方向の端部１３´が衝突してハードディスクドライブパック３は、正規の姿勢でも挿入できない。
【００７５】
第１の凸部４１とガイド本体部１３の長さ方向の端部１３´の衝突を避けるためにガイド本体部１４の高さを低くすることが考えられる。
【００７６】
しかし、ガイドレールのガイド本体部１３は、断面コ字状のスロット内に略密着して挿入されていてハードディスクドライブパック３の挿抜をガイドするとともに、ハードディスクドライブパック３を固定するためのものであり、ガイド本体部１３を低くするとスロットから脱落する恐れがあり、ガイド本体部１３を必要以上に低くすることが出来ない。
【００７７】
図１９〜図２２は、筐体２の前端側にストッパー４９を設けた場合でも、該ストッパー４９とガイド本体部１３の長さ方向の端部１３´とが衝突しないようにして、正規姿勢のハードディスクドライブパック３の挿入を可能にするとともに、上下逆の不正規姿勢でハードディスクドライブパック３が挿入されるのを防止できるようにした誤挿入防止構造の他の例を示すものである。
【００７８】
図１９は、ガイドレール５，６を示す斜視図であり、ガイドレール５，６は、中央部に直方体形状のガイド本体部１３を有し、該ガイド本体部１３の長さ方向の両端部には、ハードディスクドライブ本体部１３へ取り付けるための第１,第２の脚部１４，１５を有している。ガイド本体部１３の肉厚に対して、第１,第２の脚部１４，１５の肉厚は、薄肉に形成されている。
【００７９】
第１の脚部１４は、ネジ受穴２８と第１の凸部４１を備え、第２の脚部１５は、ネジ受穴２９と第２の凸部４２を備えている。ガイド本体部１３には幅方向の中心腺ＣＬから左右何れか一方にずらした位置にストッパー導入溝５０が形成されている。
【００８０】
また、図２０に示すように、筐体２の前端側には前記ストッパー導入溝５０に対応させて前記ストッパー４９が形成されている。
【００８１】
図２１に示すように、ハードディスクドライブパック３を正規の姿勢でスロット内に挿入すると、ストッパー４９は、ストッパー導入溝５０内に導入されて、ハードディスクドライブパック３は筐体２内に装填される。
【００８２】
しかし、図２２に示すように、ハードディスクドライブパック３を上下逆の不正規の姿勢でスロット内に挿入すると、ストッパー４９は、ガイド本体部１３の端面１３´に当接して、ハードディスクドライブパック３の誤挿入を阻止する。なお、この例においては、第１の凸部に、誤挿入防止機能を持たせる必要が無いので、第１の凸部は、第２の凸部と同じ高さでよい。
【符号の説明】
【００８３】
１…電子機器
２…筐体
３…ハードディスクドライブパック
４…ハードディスクドライブ本体部
５…第１ガイドレール
６…第２ガイドレール
１１…ハードディスクドライブパックの固定構造
１２…スロット
１３…ガイド本体部
１４，１５…第１，第２の脚部
１６〜１９…第１〜第４の凸状部
２０〜２３…第１〜第４のバネ部
２４〜２７…第１〜第４の切り込み
２８…ネジ孔
２９…ネジ
３０〜３３…第５〜第８の凸状部
３４…ベースプレート
３５…ベースプレート嵌合用の凹部
４１…第１の凸部（フロントカバー位置決め用の凸部）
４２…第２の凸部（誤挿入防止用の凸部）
４３…フロントカバー
４８…凸部挿入孔
４９…ストッパー
【図１】
2014093101.tif 000003
【図２】
2014093101.tif 000004
【図３】
2014093101.tif 000005
【図４】
2014093101.tif 000006
【図５】
2014093101.tif 000007
【図６】
2014093101.tif 000008
【図７】
2014093101.tif 000009
【図８】
2014093101.tif 000010
【図９】
2014093101.tif 000011
【図１０】
2014093101.tif 000012
【図１１】
2014093101.tif 000013
【図１２】
2014093101.tif 000014
【図１３】
2014093101.tif 000015
【図１４】
2014093101.tif 000016
【図１５】
2014093101.tif 000017
【図１６】
2014093101.tif 000018
【図１７】
2014093101.tif 000019
【図１８】
2014093101.tif 000020
【図１９】
2014093101.tif 000021
【図２０】
2014093101.tif 000022
【図２１】
2014093101.tif 000023
【図２２】
2014093101.tif 000024
【図２３】
2014093101.tif 000025
【図２４】
2014093101.tif 000026
【図２５】
2014093101.tif 000027